(57)【要約】【課題】  ダストの取り出しに際して、集塵機に接近したり無理な姿勢で回収作業を行う必要がなく、また、ダスト回収中にダストを周囲に飛散させたり、ダスト回収の関連部品を不用意に汚したり痛めたりすることなく、ダスト量の検知とその回収作業を極めて簡単に、且つ、的確に行うことができるように工夫したダストレベル検知機能付き集塵機を提供する。【解決手段】  フイルター４から払い落されて来る吸引ダストを回収する内バケット９と、この内バケット９を上下作動自在に収納した外バケット２とから成るダストバケットＫを、フイルター４を収めた集塵機の機体１に対して着脱及び切離し移動自在に構成する。ダストの重量増加によって内バケット９が降下すると、これを検知して集塵機の運転を停止したり、警報信号を発する能動型反射式センサー１７を設ける。【選択図】      図１
2005131576.tif 000002
【特許請求の範囲】
【請求項１】
ブロアーの吸引作用を受けて吸い込まれて来る含塵気流をフイルターで濾過し、濾過された清浄空気を機外に排出する一方、フイルターが捕集したダストを下側のダストボックス内に払い落して回収するように構成した集塵機であって、
上記のダストボックスを、ダストを回収する内バケットと、この内バケットを収納した外バケットとの内外二重構造に構成して、ダストボックスの全体を上記フイルターを収めた集塵機の機体に対して着脱自在及び切離し移動自在に構成すると共に、
上記外バケットの内部には、上記の内バケットを弾性的に支える弾性支持部材と、回収したダストの重量増加によって、内バケットが弾性支持部材の支持に抗して所定位置まで降下した場合に、この内バケットによって回動変位される回動変位部材とを設け、
上記のブロアーを搭載した集塵機の本体側には、上記回動変位部材の変位の状態を非接触にて監視して、変位が検知されると信号を発する回動変位検知器を設けたことを特徴とするダストレベル検知機能付き集塵機。
【請求項２】
上記の回動変位検知器が、被検知体に対して光を照射してその反射光を検知する能動型反射式光センサーであり、
上記の回動変位部材が、上記外バケットの外周底部に上下回動自在に軸支され、且つ、上記内バケットが降下した時に、内バケットの外周底部に押されて回動する変位拡大レバーと、この変位拡大レバーに取付けられた上記光センサーからの光を反射する反射板とによって構成されていることを特徴とする請求項１に記載のダストレベル検知機能付き集塵機。
【請求項３】
上記外バケットの内底面にガイド軸を上方に向けて突設し、このガイド軸の上端部側を上記内バケット底板に対して上下作動自在に挿通して、ガイド軸には上記弾性支持部材としてのコイルバネを装着すると共に、上記内バケットの外周底部には、内バケットが降下した時に上記変位拡大レバーを押圧してこれを回動する押圧回動片を設け、且つ、内バケットの底面には、内バケットの下降を最下限位置で停止するストッパーを設けたことを特徴とする請求項１又は２に記載のダストレベル検知機能付き集塵機。
【請求項４】
上記集塵機の本体が床面上に設置され、この本体に対して上記フイルターを収めた機体が一体に取付けられ、機体の下側部に上記のダストボックスが着脱自在及び切離し移動自在に取付けられていることを特徴とする請求項１、２又は３に記載のダストレベル検知機能付き集塵機。
【請求項５】
集塵機の本体側に、ダストボックスを上下動することができるリフターを設けたことを特徴とする請求項１、２、３又は４に記載のダストレベル検知機能付き集塵機。
【請求項６】
上記集塵機の本体が移動走行自在に構成され、この本体に対して上記フイルターを収めた機体が一体に取付けられ、機体の下側部に上記のダストボックスが着脱自在に及び切離し移動自在に取付けられていることを特徴とする請求項１、２又は３に記載のダストレベル検知機能付き集塵機。
【発明の詳細な説明】
【技術分野】
【０００１】
本発明は、フイルターからダストボックスに払い落されて回収されたダストの量を検知することができるダストレベル検知機能を備えた集塵機に関するものである。
【背景技術】
【０００２】
ダストレベル検知機能付き集塵機を備えた集塵機に関しては、従来より、例えば特許文献１に見られる集塵機や、或は、特許文献２に見られる装置が存在する。
【０００３】
上記特許文献１には、粉塵を含む空気流をブロアーにより吸引し、フイルターを通過させることにより濾過し、捕捉された粉塵をフイルターの下方に配設された受皿上に堆積させるように構成した集塵機の記載があり、上記の受皿を梃子部材（てこを構成する部材）により天秤式に吊設し、粉塵の堆積による該受皿の重量変化を梃子部材の他端に取付けた検出アームの変位により検出し、粉塵が一定量堆積したことを自動的に検出するように構成されている。
【０００４】
また、上記特許文献２には、ダストボックスを透明なプラスチックにて造り、その中にダストが回収されるよう透明なプラスチック製収容袋を広げて配設すると共に、上記プラスチック容器内のプラスチック製収容袋内に堆積したダストの堆積レベルを、透明なプラスチック容器の外側から光線型レベルスイッチにて検知するようにした集塵機の記載がある。尚、上記のダスト回収用のプラスチック容器には移動用のキャスターを設け、ダスト取り出し時には、引き出してダストを取り出すことができる仕組に成っている。
【特許文献１】実公平３−１５１３２号公報
【特許文献２】特開２００２−３２０８１１号公報
【発明の開示】
【発明が解決しようとする課題】
【０００５】
しかし、上記特許文献１に記載の集塵機は、集塵機内に設けられた受け台９上にダスト受け皿８を載せる構造であるから、（イ）ダストの取り出し作業等のメンテナンスを行う際には、作業者は集塵機に接近して作業を行うようになり、その時の作業姿勢や作業環境は決して好ましい状態ではない。（ロ）ダストの取り出し中において、ダストが周囲に飛散して作業環境を害する問題がある。（ハ）集塵機を構成する部品、例えば復帰バネ２１や、受け台９等の各部品がダストで汚れたり、腐食したりする懸念があり、また、これら集塵機内部のダスト回収部の清掃を極めて困難であると云った問題があった。
【０００６】
これに対して、上記特許文献２に記載の装置の場合、ダストボックス１３は集塵機から引き出し可能な構成であり、また、ダストは上記容器内に広げて敷かれたプラスチック製容器袋内に収容するから、ダストの取り出し作業は容易である。しかしながら、プラスチック容器とか、プラスチック容器内に広げて敷くプラスチック製容器袋は、ダストのレベル検知を容器の外側から容易に行う必要から、透明であることが必須条件であり、且つ、汚れ等があってはならないため、その取扱いが非常に面倒であった。
【０００７】
そこで本発明の技術的課題は、ダストの取り出しに際して、集塵機に接近したり無理な姿勢で回収作業を行う必要がなく、また、ダスト回収中にダストを周囲に飛散させたり、ダスト回収の関連部品を不用意に汚したり痛めたりすることなく、ダスト量の検知とその回収作業を極めて簡単に、且つ、的確に行うことができるように工夫したダストレベル検知機能付き集塵機を提供することである。
【課題を解決するための手段】
【０００８】
（１）  上記の技術的課題を解決するために、本発明の請求項１に係るダストレベル検知機能付き集塵機は、ブロアーの吸引作用を受けて吸い込まれて来る含塵気流をフイルターで濾過し、濾過された清浄空気を機外に排出する一方、フイルターが捕集したダストを下側のダストボックス内に払い落して回収するように構成した集塵機であって、上記のダストボックスを、ダストを回収する内バケットと、この内バケットを収納した外バケットとの内外二重構造に構成して、ダストボックスの全体を上記フイルターを収めた集塵機の機体に対して着脱自在及び切離し移動自在に構成すると共に、上記外バケットの内部には、上記の内バケットを弾性的に支える弾性支持部材と、回収したダストの重量増加によって、内バケットが弾性支持部材の支持に抗して所定位置まで降下した場合に、この内バケットによって回動変位される回動変位部材とを設け、上記のブロアーを搭載した集塵機の本体側には、上記回動変位部材の変位の状態を非接触にて監視して、変位が検知されると信号を発する回動変位検知器を設けたことを特徴としている。
【０００９】
（２）  また、本発明は請求項２に記載の如く、上記の回動変位検知器が、被検知体に対して光を照射してその反射光を検知する能動型反射式光センサーであり、上記の回動変位部材が、上記外バケットの外周底部に上下回動自在に軸支され、且つ、上記内バケットが降下した時に、内バケットの外周底部に押されて回動する変位拡大レバーと、この変位拡大レバーに取付けられた上記光センサーからの光を反射する反射板とによって構成されていることを特徴としている。
【００１０】
（３）  また、本発明は請求項３に記載の如く、上記外バケットの内底面にガイド軸を上方に向けて突設し、このガイド軸の上端部側を上記内バケット底板に対して上下作動自在に挿通して、ガイド軸には上記弾性支持部材としてのコイルバネを装着すると共に、上記内バケットの外周底部には、内バケットが降下した時に上記変位拡大レバーを押圧してこれを回動する押圧回動片を設け、且つ、内バケットの底面には、内バケットの下降を最下限位置で停止するストッパーを設けたことを特徴としている。
【００１１】
（４）  また、本発明は請求項４に記載の如く、上記集塵機の本体が床面上に設置され、この本体に対して上記フイルターを収めた機体が一体に取付けられ、機体の下側部に上記のダストボックスが着脱自在及び切離し移動自在に取付けられていることを特徴としている。
【００１２】
（５）  また、本発明は請求項５に記載の如く、集塵機の本体側に、ダストボックスを上下動することができるリフターを設けたことを特徴としている。
【００１３】
（６）  更に本発明は、請求項６に記載の如く、上記集塵機の本体が移動走行自在に構成され、この本体に対して上記フイルターを収めた機体が一体に取付けられ、機体の下側部に上記のダストボックスが着脱自在に及び切離し移動自在に取付けられていることを特徴としている。
【００１４】
上記（１）〜（３）で述べた手段によれば、回収したダストの重量増加によって、内バケットが弾性支持部材の支持に抗して所定位置まで降下して、回動変位部材が回動変位すると、回動変位検知器がこれを検知して信号を発するため、この信号によって集塵機の運転を自動停止させたり、或は、ランプやブザー等によって係員等にダスト満杯を知らせることができるため、回収したダストの廃棄処理を確実に行うことを可能にする。
【００１５】
更に上記（１）〜（３）で述べた手段によれば、ダストボックスを内バケットと外バケットの内外二重の構成にして、ダストを内バケットの内部に回収するように構成したから、内バケット以外のもの、即ち、外バケット、回動変位部材、回動変位検知器等がダストによって汚されることがなく、装置清掃等のメンテナンスを容易に行うことができると共に、ダストの付着による検知ミス等のトラブル発生を防止することができる。
【００１６】
また、透明なダスト収容容器や収容袋等を用いる必要もなく、極普通のダストボックスを用いることによって足りるため、経済的であると共に、ダストボックス側にはダスト量を検知するための電気的センサーを設ける必要がなく、集塵機の本体側にこれ等電気的構成を備えるように構成した関係で、ダストボックスを取外して搬送する際に生ずる事故や、電気的トラブル等の発生を少くすることができる。
【００１７】
加えて、上記（２）で述べた手段によれば、回動変位部材を構成する変位拡大レバーによって、内バケットが重量増加によって所定位置に降下したタイミングを敏感に捉えて、反射板の変位を拡大するため、反射式光センサーによる回動変位部材の変位を正確にキャッチして、ダストの満杯状態を確実に知らせることができる。
【００１８】
更に上記（３）で述べた手段によれば、ダストの重量増加による内バケットの降下作動と、ダスト排出後のコイルバネによる内バケットの上昇作動を、コイルバネを装着したガイド軸にガイドさせて安定した状態で行うことができると共に、内バケットが降下した際に、その最下限で停止するようにストッパーを設けたから、過負荷による装置やコイルバネの破損といった事故を防止することができる。
【００１９】
上記（４）と（５）で述べた手段によれば、本発明に係るダストレベル検知機能付き集塵機を、集塵機の本体が床面上に設置されている固定式装置として使用できると共に、この本体に設けた機体に対するダストボックスの装着と取外しを、リフターを用いて容易に、且つ、取外しに際して内部に回収したダストを周辺に飛散させることなく静かに行うことができる。また、取外したダストボックスには車輪が付いているので、そのまま移動させることを可能にする。
【００２０】
上記（６）で述べた手段によれば、本発明に係るダストレベル検知機能付き集塵機を、移動送行自在に構成した移動式集塵機（掃除機）として使用することを可能にする。
【発明の効果】
【００２１】
以上述べた次第で、本発明に係るダストレベル検知機能付き集塵機によれば、回収したダストが満杯になると、信号を発して集塵機の運転を停止したり、ブザーやランプ等で満杯状態を知らせることができるため、回収したダストがダストバケットから溢れ出て周辺を汚す心配がなく、また、ダストバケットを内外二重構造にしたので、回収したダストによって外側のバケットや検知器、或は、その他関連部品等が汚される心配もなく、ダストの集塵と回収をきれいな環境下で衛生的に行うことができる。更に、メンテナンスも容易であり、また、ダスト量の検知センサ等がダストの影響を受けない構成であるため、取扱いが簡単で、信頼性が高い集塵機を提供することができる。
【発明を実施するための最良の形態】
【００２２】
図１乃至図３は本発明の実施例１に係るダストレベル検知機能付き集塵機の構成を説明したものであって、図１はその正面図、図２は側面図、図３は要部を拡大して示した断面図で、これ等の図面において、符号１で全体的に示したのは、内部１Ｈにフイルタ４を収容した集塵機の機体（集塵タンク）、同じく符号１０で全体的に示したのは、床面上等に設置した固定式の集塵機本体で、全体が底面を開口した略タンク構造を成す上記の機体１は、この集塵機本体１０の一側部に所定の高さを保った状態に固定されている。
【００２３】
１１…は上記の集塵機本体１０を床面上の所定の高さに支持する支持脚、１１Ｓは支持脚１１…間に架設したアングル、１１Ｔは集塵機本体１０を載置した機台、１２と１２Ｓは集塵機本体１０の内部に取付けたブロアー用モータとブロアー、１３は駆動ベルトであって、ブロアー１２Ｓが回転すると、上記の機体１内に吸引作用を及ぼし、吸引口１Ｓ′に接続した吸塵ダクト１Ｓ及び１Ｋを通して、含塵空気を機体１内に吸込み、この吸込んだ含塵空気をフイルタ４で濾過すると共に、濾過後の浄化空気を本体上部に設けた排気口１５より外部に排気する仕組に成っている。
【００２４】
２は、複数のクランプ５…を用いて上記機体１の開放され下端口に対して、気密状態に取付自在、及び、切離し自在に構成した外バケットで、この外バケット２の内部には間隔２Ｈが保持された状態で内バケット９は上下移動自在に収納されていて、これ等内外のバケット９と２によってダストバケットＫが構成されている。２Ｋは外バケット２の前面に設けた手掛け部、２０は上記内バケット９の上下移動をガイドするガイド軸で、このガイド軸２０は外バケット２の内底面の中心部に上向きに突出形成されている。
【００２５】
３，３は上記外バケット２の底面に設けた自在車輪、６は上記機体１の上面口に取外し自在に装着した上蓋、７は上蓋６に取付けたフイルタ払い落しハンドルで、このハンドル７を回転操作すると、フイルタ４に付着したダストが下側の内バケット９に払い落される仕組に成っている。また、８は上記の機体１に取付けたハンドル、１Ｘは上記吸塵ダクト１Ｋの先端吸込口、１４は本体１０に設けた電装ボックス、１４Ｓは上記モータ１２用の押ボタンスイッチを示す。
【００２６】
次に、本発明の内部の構造を図３に示した断面図の記載に従って説明すると、９Ｓは内バケット９の上端外周部に取付けたガイド環、２１，２１はこのガイド環９Ｓに接して内バケット９の上下動を案内する内バケットガイド、９Ｚは内バケット９の底板、２２は外バケット２の内底面に取付けた断面略皿状の支持ブラケット、２３は支持ブラケット２２の上面部に取付けた支持板で、この支持板２３の中央部に上述したガイド軸２０が上向きに突出した状態に取付けられ、且つ、その先端部が上記内バケット９の底板と、この底板に取付けた台座９Ｚを貫いて挿通されている。
【００２７】
２０Ａは上記ガイド軸２０の下端取付部、２４はガイド軸２０に装着した弾性支持部材としてのコイルバネで、このコイルバネ２４の上下両端部が内バケット９の台座９Ｚと、上記支持板２３の間に弾性的に接触して、内バケット９の全体を常時上方に弾支し、内バケット９に回収したダストの重量増加が進むと、内バケット９がコイルバネ２４を圧縮しながら次第に降下する仕組に成っている。
【００２８】
９Ｘは、上記内バケット９の内底面に設けた上記ガイド軸２０の上端用カバー、２５と２６は内バケット９の底面に下に向けて突設した２本のストッパーで、ダストの重量増加によって内バケット９が上記のコイルバネ２４を圧縮しながら降下すると、一方の短いストッパー２５の下端が支持板２３の上面に接し、また、他方の長いストッパー２６の下端が支持板２３に設けた小穴（図示省略）を貫いて外バケット２の内底面に接し、内バケット９の降下を最下限位置で停止するように構成されている。
【００２９】
次に、３２は取付具３１を用いて上記内バケット９の下側外周部に下方に突出した状態で取付けた押圧回動片（ドッグ）で、２９は取付板２８を用いて上記外バケット２の内底部に設けた支持ブラケット２２の上面部に上下回動自在に取付けられている回動変位部材としての変位拡大レバーであって、このレバー２９の先端部には回動変位部材としての反射板３０が取付けられている。
【００３０】
上記の変位拡大レバー２９は、図３に示す如く内バケット９が上側位置にある時は、自重又はバネによって水平状態に維持されているが、ダストの重量増加によって内バケット９が降下して最下限位置に達すると、押圧回動片３２が変位拡大レバー２９の根端部側を押圧して、先端側を図３の如く斜め上方に回動し、先端部に取付けた反射板３０を斜め上方位置に回動変位するように構成されている。
【００３１】
一方、１７は上記集塵機本体１０側に設けたカバー１６内に取付けられている回動変位検知器としての能動型反射式光センサーであって、このセンサー１７は内バケット９が図３に示すように上側位置にある通常の集塵運転時は、自らが発光した光を外バケット２の下側外壁に設けた透明な窓部２７を透して上記の反射板３０に照射し、その反射光を受光して内バケット９が上側位置にあることを検知（認識）しているが、内バケット９が最下限位置に降下して反射板３０が上方に回動変位し、反射光が受光されなくなると、内バケット９内のダストが満杯であることを認識して、集塵機の集塵運転（ブロア−モ−タ１２の運転）を停止する信号を発したり、或は、満杯になったことを知らせるための警報信号を発したりする仕組に成っている。
【００３２】
また、図１乃至図３において、１８は上記外バケット２の外側部に設けたフットペタルで、リフトを構成するこのペタル１８の中間部は床面側に接する回動支点１８Ａと成っており、その先端部は外バケット２の底面に接してこれを押し上げるための押上部１８Ｔに成っている。更に、図３において１９は根端部１９Ａを前述した支持脚１１のアングル１１Ｓに取付けた取付杆で、この取付杆１９に連設したバー１９Ｂの先端部に上述した回動支点１８Ａが取付けられている。
【００３３】
以上の如く構成したフットペタル１８は、これを足で踏むことによって内外のバケット９，２から成るダストバケットＫの全体を上方に押し上げて、クランプ５…による機体１への装着を補助したり、また、クランプ５…を外してダストバケットＫを機体１から取り外すときには、ダストバケットＫを下から支えながら床面上に降下することができる。
【００３４】
以上の如くフットペタル１８に支えられて機体１から取り外したダストバケットＫは、自在車輪３…を用いて容易に移動して、内バケット９内に回収されたダストを所定の場所に廃棄することができる。尚、実際の使用に際しては内バケット９の内部にダストを収容する袋状のダストパックが収められていて、ダストの廃棄処理を更に容易にしている。また、図１と図２において１１Ａ…は、上記フットペタル１８によるダストバケットＫの昇降作動をガイドするガイド部材である。
【００３５】
図４乃至図６に示したのは、集塵機本体４０の全体を走行用車輪４４…を用いて走行しながら集塵するように構成した移動式集塵機（走行式掃除機）に、本発明を実施した場合の構成を説明したものであって、機体１とダストバケット側の構成、及び、本発明の要部であるダストレベル検知側の構成は、全て上述した実施例１に記載のものと同一であるから、図１乃至図３に示されているものと同じ部材は同じ符号を付することによってその説明を省略し、ここでは実施例２に係る独自の構成のみを説明することになる。
【００３６】
図４は実施例２に係る本発明の構成を説明した側面図、図５はその正面図、第６は要部の構成を説明した拡大断面図であって、これ等の図面において、４１は本体４０に設けたメンテナンス扉、４２と４３は本体内部に設けた集塵用のブロアーとそのモータ、４３Ｘは駆動ベルト、４５は清浄空気の排気口、４６は電装ボックス、５０は電源用のコード、１Ｔは機体１に設けた含塵空気の吸込口で、上記ブロアー４２の吸引作用が及ぶこの吸込口１Ｔには集塵用のホース（図示省略）が装着されて、床面や路面等の清掃に使用される。
【００３７】
また、４０Ｈは本体４０の前面側に設けた保持部で、機体１はこの保持部４０Ｈ内に嵌込まれて固定され、内外のバケット９，２から成るダストバケットＫは、この保持部４０Ｈによって両側をガイドされながら機体１に対する着脱が行われる仕組に成っている。
【００３８】
以上の如く構成した本発明の実施例２に係るダストレベル検知機能付き集塵機によれば、床面或は路面上を走行しながら集塵ホースを用いて床面上、又は路面上のダストを吸引して内バケット９に回収することができ、回収したダストの重量増加によって内バケット９が最下限位置に降下すると、反射板３０が回動変位してこれを能動型反射式光センサー１７が検知し、ブロアーモータ４３による集塵運転を停止したり、警報信号を発したりして、内バケット９が満杯になったことを知らせることができる。そして、ダストで満杯になったダストバケットＫは、クランプ５…を外して機体１の底部から切り離すことにより、自在車輪３…を用いて任意の場所に移動して、ダストを廃棄することができる。
【図面の簡単な説明】
【００３９】
【図１】本発明の実施例１に係るダストレベル検知機能付き集塵機の構成を説明した側面図。
【図２】同じく一部省略正面図。
【図３】同じく要部の構成を拡大して示した断面図。
【図４】本発明の実施例２に係るダストレベル検知機能付き集塵機の構成を説明した側面図。
【図５】同じく正面図。
【図６】同じく要部の構成を拡大して示した断面図。
【符号の説明】
【００４０】
１          集塵機の機体
Ｋ          ダストバケット
２          外バケット
３          自在車輪
４          フイルター
５          クランプ
９          内バケット
１０，４０          集塵機本体
１７        能動型反射式センサー
１８        フットペタル
２０        ガイド軸
２４        コイルバネ
２５，２６          ストッパー
２９        変位拡大レバー
３０        反射板
３２        押圧回動片（ドック）
【図１】
2005131576.tif 000003
【図２】
2005131576.tif 000004
【図３】
2005131576.tif 000005
【図４】
2005131576.tif 000006
【図５】
2005131576.tif 000007
【図６】
2005131576.tif 000008